(57)【要約】      （修正有）【課題】きわめて簡単な構造であって、ゴルフクラブを容易かつ迅速に吊り下げて展示することができ、製作コストも安価で、商品表示も容易にできる陳列用ハンガーを提供する。【解決手段】上端にフック部２を形成した板状のベース１の下方位置にシャフト挿通用の穴３を形成し、この穴３に隣り合って切り込み孔４及び／又は切り込み線で形成された折曲可能で折曲時に元に戻るバネ性を有するタブ６を設け、ゴルフクラブのシャフトを穴に挿通し、ヘッドを切り込み孔及び／又は切り込み線で囲まれた窓Ｗへ挿入した際に、窓の縁とタブとでヘッドを押圧して保持するようにした。【選択図】図１
0003161862.tif 000002
【実用新案登録請求の範囲】
【請求項１】
上端にフック部を形成した板状のベースの下方位置にシャフト挿通用の穴を形成し、
この穴に隣り合って切り込み孔及び／又は切り込み線で形成された折曲可能で折曲時に元に戻るバネ性を有するタブを設け、
ゴルフクラブのシャフトを穴に挿通し、ヘッドを切り込み孔及び／又は切り込み線で囲まれた窓へ挿入した際に、窓の縁とタブとでヘッドを押圧して保持したことを特徴とするゴルフクラブ陳列用ハンガー。
【請求項２】
前記穴の上方に、正面視、Ｕ字に近似した切り込み孔を形成し、この切り込み孔で囲まれた上側が折り曲げられる舌状のタブを形成したウッド型ヘッドを有するゴルフクラブ用の請求項１に記載のゴルフクラブ陳列用ハンガー。
【請求項３】
前記穴とベース外郭とをつなぐ切断線を入れ、穴の上方に左右の幅が狭い上部分と上部分よりも左右の幅が広い下部分とで形成される窓を形成する切り込み線を形成し、この窓の形状と同じ形状のタブあるいは下部分と同じ形状のタブであって下側が折り曲げられるように形成し、窓の上部分と下部分との境目の左右に段部を形成したウッド型ヘッドを有するゴルフクラブ用の請求項１に記載のゴルフクラブ陳列用ハンガー。
【請求項４】
前記穴の斜め上方に円弧状の切り込み線を入れ、穴に近い部分をタブの折曲個所としたアイアンクラブ用の請求項１に記載のゴルフクラブ陳列用ハンガー。
【請求項５】
前記穴に一端側がつながった円弧状の切り込み線の他端側に開口を形成したアイアンクラブ用の請求項１に記載のゴルフクラブ陳列用ハンガー。
【請求項６】
前記穴の上方に八字に近似した切り込み孔とこの切り込み孔の両下端をつなぐ切り込み線とを形成し、タブの上側を折曲個所としたパター用の請求項１に記載のゴルフクラブ陳列用ハンガー。
【請求項７】
下側を折曲個所とした半円形のタブを有し、タブとタブに隣接するベースにわたって切欠開口を形成し、穴と切欠開口とを切断線でつないだパター用の請求項１に記載のゴルフクラブ陳列用ハンガー。
【考案の詳細な説明】
【技術分野】
【０００１】
本考案は、ゴルフクラブを販売店などで吊り下げて陳列するためのゴルフクラブ陳列用ハンガーに関する。
【背景技術】
【０００２】
従来のゴルフクラブ陳列用のものとしては、特許文献１（特開２００６−１９８３６７号公報）や特許文献２（特許４３３４２６９号公報）に記載のものが知られていた。特許文献１に開示されたゴルフクラブの展示装置は、従来のゴルフクラブのヘッドの凸形状に一致する凹部を形成した載置部とシャフトを支持する溝部を有する展示装置が、載置部にヘッドを置いて、溝部にシャフトを入れて支持する構造で、ヘッドを顧客が手にとった後、簡単に元に戻すことができるという利点があったが、顧客が手に取ったゴルフクラブを元に戻そうとして無造作に置いたときなどに、載置部からヘッドが外れて落下することがあった、という不都合を解消するため、ネック部をフック部に引っ掛けたときにヘッドに掛かる重力を分析することによって、ヘッドとネック部とシャフトの３点で支持して安定に保持する展示装置の構成を得るようにしたものである。その具体的構成は、ゴルフクラブのネック部を載置するネック支持部を基部から上方に傾斜して凸設するとともに、シャフト部と当接するシャフト支持部を基部から凸設し、かつ、ヘッドと接するヘッド支持部を、ネック支持部に対してシャフト支持部と反対側に設けたものであり、硬質の合成樹脂で成型すれば、強固に支持できるし、弾性を有する合成樹脂や、ゴムで成型すれば、手荒に置いたときの衝撃音や傷を防ぐことができ、針金や棒材をまげて形成することもできるし、針金や棒材をまげて形成した形状を射出成型することもできる、というものである。
【０００３】
特許文献２に開示されたゴルフクラブの展示用支持装置は、フック部材と、当該フック部材を一つ又は複数着脱自在に取り付ける長尺な連結部材と、上記連結部材の端部に設けたブラケットからなり、上記フック部材は本体と、上記本体の上部に設けられてゴルフ用クラブのヘッドを支持するヘッド支持部と、上記本体の胴部に上記ヘッド支持部に連なりながら下方に向けて形成されて上記ゴルフ用クラブのシャフト部を挿入させるシャフト案内溝と、上記本体に形成されて上記連結部材を上記本体と交叉する方向に挿入させる溝又は孔とで構成され、上記連結部材を上記フック部材に挿入し、更に上記連結部材を上記ブラケットを介して展示装置に取付け、次いで上記ヘッド支持部にゴルフ用クラブのヘッドを当てがいながらシャフトを上記シャフト案内溝に挿入して吊り持ちさせながら当該ゴルフ用クラブを展示させるようにしたものである。
【０００４】
その他にも、ゴルフクラブのグリップを下方で支持する展示用支持装置（特許文献３）とか、ヘッドを吊り下げるように支持する支持具（特許文献４）も知られている。
【先行技術文献】
【特許文献】
【０００５】
【特許文献１】特開２００６−１９８３６７号公報
【特許文献２】特許第４３３４２６９号公報
【特許文献３】特開２００８−２５９７９７号公報
【特許文献４】特許第４３９７９６９号公報
【考案の概要】
【考案が解決しようとする課題】
【０００６】
特許文献１〜４に記載のものは、いずれも構造的に複雑なものであり、製作コストも高価なものであった。
【０００７】
そこで、本考案は、きわめて簡単な構造であって、ゴルフクラブを容易かつ迅速に吊り下げて展示することができ、製作コストも安価で、商品表示も容易にできるゴルフクラブ陳列用ハンガーを提供することを目的とする。
【課題を解決するための手段】
【０００８】
上述の目的を達成するため、本考案は、上端にフック部を形成した板状のベースの下方位置にシャフト挿通用の穴を形成し、この穴に隣り合って切り込み孔及び／又は切り込み線で形成された折曲可能で折曲時に元に戻るバネ性を有するタブを設け、ゴルフクラブのシャフトを穴に挿通し、ヘッドを切り込み孔及び／又は切り込み線で囲まれた窓へ挿入した際に、窓の縁とタブとでヘッドを押圧して保持するようにしたものである。
【考案の効果】
【０００９】
本考案は、上端にフック部を形成した板状のベースの下方位置にシャフト挿通用の穴を形成し、この穴に隣り合って切り込み孔及び／又は切り込み線で形成された折曲可能で折曲時に元に戻るバネ性を有するタブを設け、ゴルフクラブのシャフトを穴に挿通し、ヘッドを切り込み孔及び／又は切り込み線で囲まれた窓へ挿入した際に、窓の縁とタブとでヘッドを押圧して保持したので、板状のベースに切り込みを入れたり、穴をあけたりするだけで製作することができ、ベースをプラスチック材料で成形すれば、一回の成形で、後加工することなく製作することもでき、製作コストがきわめて安価になると同時に、立体的かつ衣服のように変形しないゴルフクラブのヘッドとシャフトを簡単かつ確実にハンガーに保持することができ、かつ吊り下げて展示、陳列することができる。さらに、板状のベースには簡単に印刷することができ、商品の表示も自由に施せる。
【図面の簡単な説明】
【００１０】
【図１】ドライバー用のハンガー正面図。
【図２】ドライバー用のハンガーの他の例を示す正面図。
【図３】ドライバー用のハンガーのさらに別の例を示す正面図。
【図４】図１に示すハンガーにドライバーを保持させる最初の手順を示す斜視図。
【図５】シャフトを穴に挿通してヘッドが穴の位置にくるまでシャフトを引いている状態の斜視図。
【図６】ヘッドを切り込み孔が形成する窓へ差し込み、タブを裏側へ押し込んだ状態の斜視図。
【図７】ヘッドがタブで押圧されて窓の縁とタブとで保持され、吊り下げられる状態の斜視図。
【図８】図３に示すハンガーにドライバーを保持させる最初の手順を示す斜視図。
【図９】シャフトを穴に差し込む状態の斜視図。
【図１０】切り込み線の両側段部（窓の縁の一部）にドライバーのヘッドのソールを当てがうとともにタブがヘッドを押圧しヘッドを保持した陳列状態の斜視図。
【図１１】フェアウェーウッドと呼ばれるゴルフクラブ用のハンガー正面図。
【図１２】フェアウェーウッド用のハンガーの他の例を示す正面図。
【図１３】ユーティリティないしハイブリッドと呼ばれるクラブ用のハンガー正面図。
【図１４】ユーティリティ用ハンガーの他の例を示す正面図。
【図１５】アイアン用ハンガーの正面図。
【図１６】アイアン用ハンガーの他の例を示す正面図。
【図１７】図１５のハンガーの穴にアイアンクラブのシャフトを挿通する手順を示す斜視図。
【図１８】穴の近くまできたヘッドでタブを押し付ける操作を示す斜視図。
【図１９】ヘッドでタブを押し付けて切り込み線（窓の縁）にヘッドのトウ側を挟み込ませる状態の斜視図。
【図２０】ヘッドがタブに押圧されて保持された陳列状態の斜視図。
【図２１】図１６のハンガーの裏側からシャフトを穴に挿通する状態の斜視図。
【図２２】ヘッドが切り込み線で挟まれるまでシャフトを引き下げた状態の斜視図。
【図２３】シャフトをハンガーの穴に挿通し終えた状態でヘッドを前面に出す寸前の斜視図。
【図２４】ヘッドのトウ部分を切り込み線（窓の縁）で挟み、タブで押圧して保持した状態の斜視図。
【図２５】陳列状態の斜視図。
【図２６】パター用ハンガーの正面図。
【図２７】パター用ハンガーの他の例を示す正面図。
【図２８】図２６のハンガーの穴にシャフトを挿通する状態の斜視図。
【図２９】シャフトをハンガーの穴に挿通し終えた状態の斜視図。
【図３０】ヘッドをハンガーの窓に差し込んでタブを押し込んだ状態の斜視図。
【図３１】ヘッドのトウ部分が切りこみ孔の縁（窓の縁）に当接し、タブがヘッドを押圧した保持状態の斜視図。
【図３２】図２７のハンガーのタブを裏側へ折り曲げる状態の斜視図。
【図３３】タブの切り取り部にシャフトを挿入した状態の斜視図。
【図３４】切り取り部につながった穴にシャフトを移行させる状態の斜視図。
【図３５】シャフトを穴に移行させた状態の斜視図。
【図３６】ヘッドを切り込み線で挟みヘッドをタブで押圧して保持した陳列状態の斜視図。
【考案を実施するための形態】
【００１１】
以下に、図面を参照にして、本考案の複数の実施形態について説明する。
【００１２】
図１ないし３は、ドライバーと呼ばれるゴルフクラブ用の陳列用ハンガーの各種形状を示す正面図であり、上端にフック部２が形成された板状のベース１の下方位置にシャフト挿通用の穴３を形成し、この穴３の上方に切り込み孔４または切り込み線５によってタブ６を形成してある。このタブ６は折曲可能で折曲状態で元に戻ろうとするバネ性も有するものである。
【００１３】
図３のハンガーは、ベース１の外郭から穴３につながる切断線７を入れ、切断面７の部分が離間することで穴３の大きさが広がり、ヘッドのつけ根個所の細いシャフト部分が穴３に挿通されて収まるようになっている。また、タブ６は、上方の半円状の部分とこの半円状の両端よりも左右に広がった四角形近似の部分とを有し、両部分の境目に折曲溝６Ａを入れてある。また、下側の部分の下辺には切り込み線５がない部分があり、この部分でタブ６が折曲可能であり、折り曲げた後に元に戻ろうとする。折り曲げ溝６Ａも折曲可能部分であって半円部分を元に戻そうとする。
【００１４】
図１に示すハンガーにゴルフクラブ（ドライバー）２０を保持させる手順を図４ないし図７に基づいて説明すると、穴３にグリップ２１をベース１の表面から挿通させて、シャフト２２からヘッド２３が穴３に至るまで挿通する（図４及び図５）。ヘッド２３が切り込み孔４が画成する窓Ｗにきたとき、図６に示すように、ヘッド２３のトウ部分を窓Ｗに差し込んでタブ６を裏側へ押し曲げる。さらに、ヘッド２３をタブ６を押し曲げる方向に移動させ、ヘッド２３のトウ部分が切り込み孔４の縁とタブ６とで挟圧されて保持されるようにする（図７）。この図７の状態でヘッド２３は保持されてむやみに動くことはなく、フック部２をパイプなどの部材に引っ掛けることによりゴルフクラブ２０を吊り下げた状態で陳列することができる。
【００１５】
図８ないし図１０は、図３に示すハンガーにドライバー２０を保持させる手順を示すものであり、最初にハンガーのタブ６を裏面側へ押し曲げてあけられた窓Ｗの裏面側からグリップ２１とシャフト２２を挿通する。ヘッド２３が窓Ｗの個所に挿し込まれた状態において切断線７から穴３にシャフト２２を移行させる。タブ６の上部分と下部分との境目に形成された段部に対応する切り込み線５の段部５Ａにヘッド２３のソール部分２３Ａを引っ掛け、タブ６でヘッド２３を押圧することによりヘッド２３を挟むように保持している（図１０）。
【００１６】
図１１及び図１２は、フェアウェーウッドと呼ばれるゴルフクラブを陳列保持するためのハンガーの正面図であり、タブ６などのサイズが小さくなった程度であり、ドライバー用ハンガーと大きな差はなく、ゴルフクラブの保持手順も前述したものと同様である。なお、図３と図１１に示す実施形態のハンガーにおいて、タブ６の上方の半分を無くし、タブ６としては下方の半分のみとすることも可能であり、上方半分（半円部分）が無くなるとこの部分は窓Ｗの一部を構成する透孔となる。ヘッド２３は、下半分に存在するタブ６に押圧される。
【００１７】
図１３及び図１４は、ユーティリティあるいはハイブリッドと呼ばれるゴルフクラブ用のハンガーの正面図であり、基本的な構成は、ドライバー用、フェアウェーウッド用と変わらず、保持手順も同様である。
【００１８】
ドライバー、フェアウェーウッド、ユーティリティのいずれもウッド型ヘッドを備えたものであり、これらのゴルフクラブを保持するハンガーは、図１のタイプ（図２、図１１、図３）と図３のタイプ（図１２、図１４）とがある。図１のタイプは、穴３（長孔）の上方に、正面視、Ｕ字に近似した切り込み孔４を形成し、この切り込み孔４で囲まれて上側が折り曲げられる舌状のタブ６を形成したものである。図３のタイプは、穴３とベース１の外郭とをつなぐ切断線７を入れ、穴３の上方に左右の幅が狭い上部分（実施例では半円）と上部分よりも左右の幅が広い下部分とで窓Ｗを形成するための切り込み線５を入れ、この窓Ｗと同じ形状のタブ６を形成し、タブ６の下部分の下側が折り曲げられるとともに、上部分と下部分との境目に折曲溝６Ａを形成し、かつ当該境目の左右に段部を形成したものである。
【００１９】
上述した図１ないし図３、図１１ないし図１４に示すゴルフクラブ陳列用ハンガーは、いずれもヘッド２３を押圧するタブ６やヘッド２３のトウ部分が当接する切り込み孔４の縁や切り込み線５の個所、すなわち窓Ｗの縁にとがった部分を有さず、緩やかな曲線、曲面に形成され、ヘッド２３を被覆するシュリンクを破いたりしないように工夫されている。
【００２０】
図１５及び図１６は、アイアンクラブ用ハンガーの正面図を示し、フック部２と穴３と切り込み線５及びタブ６とをベース１に形成してある。図１６の切り込み線５の一端に小さな開口５Ｂを形成し、他端に穴３を形成してある。
【００２１】
図１７ないし図２０は、図１５に示すアイアン用ハンガーにゴルフクラブを保持させる手順を説明するものであり、最初に、表側からアイアンゴルフクラブ３０のグリップ３１を穴３に挿通して、シャフト３２も挿通してヘッド３３を穴３の個所まで移行させる（図１７）。次いで、図１８に示すようにヘッド３３のトウ部分でタブ６を押し付けて窓Ｗを開口させ、窓Ｗの縁にヘッド３３のトウ部分を挟み、ヘッド３３の後方からタブ６がヘッド３３を押圧してヘッド３３を確実に保持する（図１９及び図２０）。図２０のヘッド３３を窓Ｗの縁とタブ６とで挟むように保持し、シャフト３２を穴３に挿通した状態で、フック部２を用いてゴルフクラブを吊り下げて陳列する。
【００２２】
図２１ないし図２５は、図１６に示すアイアン用ハンガーにゴルフクラブを保持させる手順を説明するものであり、最初に、タブ６を裏面側へ押し込んで、裏面側からゴルフクラブ３０のシャフト３２をタブ６の表面側にあてがうように穴３へ挿通する。次いで、穴３へヘッド３３のホーゼル部分を挿通させるようにシャフトを下方に引き（図２２及び図２３）、ヘッド３３を表面側へ引き出す。その後、ヘッド３３のトウ部分を窓Ｗの縁とタブ６とで挟むように保持し（図２４）、さらにヘッド３３のトウ部分を下げて図２５に示すように開口５Ｂにトウ部分を嵌合させた状態でフック部２を用いて吊り下げて陳列する。開口５Ｂにゴルフクラブのヘッド３３のトウ部分が嵌まり込み、裏面側からはタブ６の元に戻ろうとするバネ力がヘッド３３に作用し、ヘッド３３は確実に保持されることになる。
【００２３】
アイアン用ハンガーの２タイプのうち図１５に示すタイプは、穴３の斜め上方（実施例では表面上、左斜め上）に円弧状の切り込み線５を入れ、穴３に近い部分をタブ６の折曲個所とした。切り込み線５は、レフティ用アイアンの場合、ベース１の表面上、右斜め上に形成する。図１６に示すタイプは、穴３と開口５Ｂに円弧状の切り込み線５がつながったものであり、切り込み線５の円弧の山部分はベース１の上方に位置し、開口５Ｂよりも穴３の位置が若干下方に位置する。
【００２４】
図２６及び図２７は、パター用のハンガーの正面図を示し、切り込み孔４と切り込み線５の形成によりタブ６を形成してあり、タブ６は折曲可能であり、折曲時に元に戻ろうとするバネ性を有する。シャフト挿通用の穴３も形成してあり、ベース１やフック部２の構成も備えている。図２７のハンガーでは、折曲溝６Ａの他に、穴３と切断線７でつながった切欠開口８をタブ６とベース１にわたって形成してある。
【００２５】
図２８ないし図３１は、図２６に示すパター用ハンガーにパターを保持させる手順を説明する図であり、最初に、図２８に示すように、パター４０のグリップ部４１、シャフト４２を穴３に挿通していく。次いで、ヘッド４３がタブ６の個所にきたとき（図２９）、ヘッド４３でタブ６を裏面側へ押し込み、トウ部分を窓Ｗの縁に引っ掛ける（図３０）。さらに、ヘッド４３でタブ６を押し込んで、タブ６のバネ性によるヘッド４３への押圧により窓Ｗの縁に引っ掛かったヘッド４３を確実に保持し（図３１）、この状態でフック部２を用いてパター４０を吊り下げて陳列する。
【００２６】
図３２ないし図３６は、図２７に示すパター用ハンガーにパター４０を保持させる手順を説明する図であり、最初に、図３２に示すように、タブ６を折曲溝６Ａの個所で裏面側に折り曲げる。次いで、タブ６の切欠開口８にグリップ４１及びシャフト４２を挿通する（図３３）。シャフト４２を切欠開口８に挿通してヘッド４３が窓Ｗの個所にきたとき、図３４に示すように、切断溝７を介して切欠開口８から穴３にシャフト４２を移行させ、ヘッド４３を窓Ｗに差し込む。次いで、図３５に示すように、ヘッド４３をベース１の裏面側から表面側に露出させ、ヘッド４３のトウ部分は窓Ｗの縁に引っ掛け、タブ６がヘッド４３を押圧し、タブ６と窓Ｗの縁とでヘッド４３を挟み、ヘッド４３を確実に保持する（図３６）。
【００２７】
パター用ハンガーは、穴３の上方に八字に近似した切り込み孔４とこの切り込み孔４の両下端をつなぐ切り込み線５とを形成し、タブ６の上側を折曲個所とした図２６に示すタイプがある。また、図２７に示すパター用ハンガーのタイプは、下側を折曲個所とした半円形あるいはカマボコ形のタブ６を有し、タブ６とタブ６に隣接するベース１にわたって切欠開口８を形成し、穴３と切欠開口８とを切断線７でつないだものである。
【００２８】
ベース１は、プラスチック材料で成形する他に、紙を打ち抜いて形成することもでき、薄い金属板であっても成形可能であり、材料は特に限定されない。この板状のベース１の表面や裏面に商品説明などを印刷、あるいは印刷したものを貼り付けることができる。
【００２９】
アイアン用並びにパター用のハンガーのいずれも、ヘッドを被覆するシュリンクを破かないように、ヘッドに当たる部分が鋭利にならないように丸みをつけるなどの工夫を施す。１枚の板状のベース１にフック部２が形成され、全体が平板である本発明のハンガーは、洋服などのハンガーと同様の支持具を用いて吊り下げることができ、特別な支持具は不要であり、コストダウンにつながるものである。また、ゴルフクラブのヘッドを包装し、この包装部材にフック部を設けることも考えられるが、ゴルフクラブ購入者は、売り場で実際にアドレスして構え易いかどうかを判断するものであり、このようにアドレスしようとしたときにフック部付きの包装部材に包装されたままではアドレスを再現するのはむずかしいが、本発明のハンガーでは、ゴルフクラブの取外しも容易であり、その後の取付けも容易である。
【符号の説明】
【００３０】
１  ベース
２  フック部
３  穴
４  切り込み孔
５  切り込み線
６  タブ
２０、３０、４０  ゴルフクラブ
２２、３２、４２  シャフト
２３、３３、４３  ヘッド
【図１】
0003161862.tif 000003
【図２】
0003161862.tif 000004
【図３】
0003161862.tif 000005
【図４】
0003161862.tif 000006
【図５】
0003161862.tif 000007
【図６】
0003161862.tif 000008
【図７】
0003161862.tif 000009
【図８】
0003161862.tif 000010
【図９】
0003161862.tif 000011
【図１０】
0003161862.tif 000012
【図１１】
0003161862.tif 000013
【図１２】
0003161862.tif 000014
【図１３】
0003161862.tif 000015
【図１４】
0003161862.tif 000016
【図１５】
0003161862.tif 000017
【図１６】
0003161862.tif 000018
【図１７】
0003161862.tif 000019
【図１８】
0003161862.tif 000020
【図１９】
0003161862.tif 000021
【図２０】
0003161862.tif 000022
【図２１】
0003161862.tif 000023
【図２２】
0003161862.tif 000024
【図２３】
0003161862.tif 000025
【図２４】
0003161862.tif 000026
【図２５】
0003161862.tif 000027
【図２６】
0003161862.tif 000028
【図２７】
0003161862.tif 000029
【図２８】
0003161862.tif 000030
【図２９】
0003161862.tif 000031
【図３０】
0003161862.tif 000032
【図３１】
0003161862.tif 000033
【図３２】
0003161862.tif 000034
【図３３】
0003161862.tif 000035
【図３４】
0003161862.tif 000036
【図３５】
0003161862.tif 000037
【図３６】
0003161862.tif 000038